(57)【特許請求の範囲】
【請求項１】
患者が載置される寝台と、前記寝台に載置された患者が挿入可能な開口部を有する画像撮影部との間に配置され、前記開口部の内径寸法以下の内径寸法を有する中空体と、
前記中空体を前記開口部と同じ高さ位置及び同じ左右方向位置で保持するスタンド部と、
前記画像撮影部を前記寝台方向へスライドさせる方向と同じ方向であって前記中空体内に前記患者が挿入される位置に前記中空体と前記スタンド部とをスライド可能とするスライド機構と、
を備えることを特徴とする画像撮影装置の安全装置。
【請求項２】
前記寝台方向への前記中空体のスライド範囲は、前記寝台方向への前記画像撮影部のスライド範囲を超えた範囲であることを特徴とする請求項１記載の画像撮影装置の安全装置。
【請求項３】
前記スタンド部は、前記画像撮影部と前記中空体とを近接位置にスライドさせた場合において、前記中空体の前記寝台に対向する側の端部と前記画像撮影部の前記寝台に対向する側の端部との間の幅寸法が小さくなる形状に屈曲形成されていることを特徴とする請求項１又は２記載の画像撮影装置の安全装置。
【請求項４】
前記中空体は、リングであることを特徴とする請求項１ないし３のいずれか一記載の画像撮影装置の安全装置。
【請求項５】
前記中空体は、前記開口部の内周面を覆う被覆部を有する筒体であることを特徴とする請求項１記載の画像撮影装置の安全装置。
【請求項６】
前記リングは、前記スタンド部に対して着脱可能に取付けられていることを特徴とする請求項４記載の画像撮影装置の安全装置。
【請求項７】
前記リングに、このリングの中央位置を示すマークが付けられていることを特徴とする請求項４又は６記載の画像撮影装置の安全装置。
【請求項８】
前記筒体は、少なくとも２つの嵌合筒体が前記筒体のスライド方向に伸縮可能に嵌合されていることを特徴とする請求項５記載の画像撮影装置の安全装置。
【発明の詳細な説明】
【技術分野】
【０００１】
本発明は、画像撮影装置の安全装置に関し、特に、Ｘ線ＣＴ装置やＭＲＩ装置などのような画像撮影装置の安全装置に関する。
【背景技術】
【０００２】
患者の患部を撮影するＸ線ＣＴ装置やＭＲＩ装置等の画像撮影装置は、患者を挿入可能な開口部を備えた画像撮影部と、患者を載置する寝台とを備え、寝台上に載置された患者を開口部に挿入して撮影を行う。Ｘ線ＣＴ装置の一例としては、例えば、下記特許文献１に記載されたものが知られている。
【０００３】
下記特許文献１に記載されたＸ線ＣＴ装置は、Ｘ線を出射するＸ線管と患者の患部を透過したＸ線を検出するＸ線検出器とを有する画像撮影部であるガントリと、患者を載置するスライド可能な天板を備えた寝台とを備え、ガントリには空洞状の開口部が形成されている。患者を載置した天板をスライドさせることにより、患者が天板と共に開口部に挿入可能とされている。
【０００４】
患者を天板と共に開口部に挿入した後、Ｘ線管からＸ線を放射し、患部を透過したＸ線をＸ線検出器で検出することにより、Ｘ線による患部の撮影が行われる。
【０００５】
なお、Ｘ線ＣＴ装置の使用形態としては、手術前の患者を撮影する場合と、手術中の患者を撮影する場合とがある。
【０００６】
手術前の患者を撮影する目的は、患部の状態を確認するためである。手術中の患者を撮影する目的は、手術の進捗状態を確認したり、次の手術箇所を判断するためである。
【０００７】
なお、手術前の撮影に際しては、天板と共に患者をガントリ側へスライドさせてもよく、又は、ガントリを寝台側へスライドさせてもよい。しかし、手術中の撮影に際しては、ガントリを寝台側へスライドさせることにより患者を相対的に開口部に挿入している。これは、手術中の患者を動かさないようにし、患者の安全性を確保するためである。
【０００８】
手術中においては、手術で使用する治療器具、例えば、手術部位を広げておくための「へら」と呼ばれる治療器具等が手術部位に装着されており、その治療器具を装着された患者がガントリの開口部に挿入され、撮影が行われる。治療器具を装着したまま撮影を行う理由は、撮影に際して治療器具を取外すと、広げておいた手術部位が閉じてしまうなどし、撮影後の手術に支障を来たすためである。
【特許文献１】特開平０９−２２０２２３号公報
【発明の開示】
【発明が解決しようとする課題】
【０００９】
しかしながら、前述のＸ線ＣＴ装置においては、以下の点について配慮がなされていない。
【００１０】
手術で使用する治療器具を手術部位に装着したまま患者をガントリの開口部に挿入すると、開口部の周縁部に治療器具が干渉する場合がある。開口部の周縁部に治療器具が干渉すると、手術部位に外力が作用し、手術部位が損傷するという重大事故に繋がる可能性がある。
【００１１】
本発明はこのような課題を解決するためになされたもので、その目的は、手術部位に治療器具を装着した患者をガントリの開口部に挿入する場合、手術部位に装着されている治療器具が開口部の周縁部に干渉することを確実に防止することができ、手術中の患者を画像撮影する場合における患者の安全性を高めることができる画像撮影装置の安全装置を提供することである。
【課題を解決するための手段】
【００１２】
本発明の実施の形態に係る特徴は、画像撮影装置の安全装置において、患者が載置される寝台と、前記寝台に載置された患者が挿入可能な開口部を有する画像撮影部との間に配置され、前記開口部の内径寸法以下の内径寸法を有する中空体と、前記中空体を前記開口部と同じ高さ位置及び同じ左右方向位置で保持するスタンド部と、前記画像撮影部を前記寝台方向へスライドさせる方向と同じ方向であって前記中空体内に前記患者が挿入される位置に前記中空体と前記スタンド部とをスライド可能とするスライド機構と、を備えることである。
【発明の効果】
【００１３】
本発明によれば、手術部位に治療器具が装着されている寝台上の患者を画像撮影部の開口部に挿入する場合、手術部位に装着されている治療器具が開口部の周縁部に干渉することを確実に防止することができ、手術中の患者を画像撮影する場合における患者の安全性を高めることができる。
【発明を実施するための最良の形態】
【００１４】
以下、本発明の実施の形態を図面を用いて説明する。
【００１５】
（第１の実施の形態）
本発明の第１の実施の形態に係る画像撮影装置の安全装置１は、図１ないし図３に示すように、中空体であるリング２と、リング２を保持するスタンド部３と、リング２とスタンド部３とを一体にスライド可能とするスライド機構４とにより構成されている。
【００１６】
この安全装置１が使用される画像撮影装置は、画像撮影部であるガントリ５と、患者Ｐが載置される寝台６とを備えている。ガントリ５と寝台６との間の床面にはレール（図示せず）が配設され、ガントリ５が寝台６に対して接離する方向にスライド可能に設けられている。
【００１７】
ガントリ５は、Ｘ線を放射するＸ線管（図示せず）と、Ｘ線管から放射された後に患者Ｐの患部を透過したＸ線を検出するＸ線検出器（図示せず）とを備えている。さらに、ガントリ５には、寝台６に載置された患者ＰをＸ線管とＸ線検出器との間に挿入可能とする円形の開口部７が形成されている。
【００１８】
リング２は、内径寸法がＡである円環状に形成され、寝台６とガントリ５との間に配置されている。リング２の内径寸法Ａは、開口部７の内径寸法Ｂ以下（Ａ≦Ｂ）に形成されている。つまり、リング２の内径寸法Ａは、開口部７の内径寸法Ｂと同じか、又は、開口部７の内径寸法Ｂより小さく形成されている。
【００１９】
スタンド部３は、棒状部材８と、棒状部材８の一端側に固定された噛合い部９とにより構成されている。棒状部材８の他端側には、リング２が固定されている。噛合い部９は、床面に配設された１本のレール１０にスライド可能に噛合っている。レール１０は、ガントリ５と寝台６との間に配設され、及び、ガントリ５を寝台６に対して接離する方向へスライドさせるレールと平行に配設されている。スタンド部３は、リング２を、開口部７と同じ高さ位置及び同じ左右方向位置で保持するようにレール１０に取付けられている。
【００２０】
スライド機構４は、寝台６方向へのガントリ５のスライド方向と同じ方向であって、寝台６上の患者Ｐの患部がリング２内に挿入される干渉確認位置にリング２をスライド可能とする機構である。このスライド機構４は、スタンド部３に設けられた噛合い部９とレール１０とにより構成されている。なお、干渉確認位置とは、ガントリ５を寝台６側にスライドさせた場合に、ガントリ５の開口部７の周縁部が治療器具１２に干渉しないことをリング２を用いて確認する位置である。
【００２１】
リング２の寝台６方向へのスライド範囲は、寝台６方向へのガントリ５のスライド範囲を超えた範囲とされている。具体的には、図６に示すように、リング２及びスタンド部３とガントリ５とを寝台６側への最大スライド位置までスライドさせた場合、ガントリ５がリング２及びスタンド部３に衝突しない位置とされている。
【００２２】
このような構成において、図４は、寝台６上に載置されて頭部を手術中の患者Ｐをリング２側から見た状態である。手術中の患者Ｐの頭部には固定フレーム１１が取付けられ、固定フレーム１１には「脳へら」等の治療器具１２が保持されている。
【００２３】
寝台６上に載置されている手術中の患者Ｐの患部をガントリ５を使用してＸ線撮影する場合には、まず、図５の矢印Ｃに示すように、リング２をスタンド部３と共に寝台６側の干渉確認位置へスライドさせ、寝台６上の患者Ｐの患部をリング２内に挿入させ、リング２が治療器具１２に干渉しないことを確認する。このスライド操作は、手動により行う。治療器具１２がリング２に干渉する場合は、治療器具１２の位置をリング２と干渉しない位置に移動させる。
【００２４】
リング２が治療器具１２に干渉することなく図５の実線で示す干渉確認位置までスライドすることを確認した後、図６の矢印Ｄに示すようにガントリ５を寝台６側へスライドさせ、寝台６上の患者Ｐの患部をガントリ５の開口部７に挿入させる。そして、図６において実線で示す位置にスライドさせたガントリ５を矢印Ｄ´で示すように寝台６から離反する方向へスライドさせ、このスライド過程でＸ線管からＸ線を放射することにより、患部のＸ線撮影を行う。
【００２５】
このＸ線撮影に際し、ガントリ５を図６の実線で示す位置にスライドさせる前に、リング２を図５の実線で示す干渉確認位置にスライドさせ、リング２が治療器具１２に干渉しないことを確認している。リング２の内径寸法Ａはガントリ５の開口部７の内径寸法Ｂに対してＡ≦Ｂの関係を有し、しかも、リング２は開口部７と同じ高さ位置及び同じ左右方向位置で保持され、リング２とスタンド部３とはガントリ５のスライド方向と同じ方向にスライドする。このため、干渉確認位置へスライドさせたリング２が治療器具１２に干渉しないということは、ガントリ５を寝台６側へスライドさせて患者Ｐを開口部７に挿入した場合に、開口部７の周縁部が治療器具１２に干渉しないことを意味する。
【００２６】
したがって、干渉確認位置へスライドさせたリング２が治療器具１２に接触しないことを確認することにより、ガントリ５を撮影開始位置に移動させる場合にガントリ５の開口部７の周縁部が治療器具１２に干渉することを確実に防止することができ、手術中のＸ線撮影を安全に行うことができる。
【００２７】
また、リング２及びスタンド部３の寝台６方向へのスライド範囲は、寝台６方向へのガントリ５のスライド範囲を超えた範囲とされているため、リング２とガントリ５とを寝台６方向へスライドさせた場合、ガントリ５がリング２やスタンド部３に衝突してリング２やスタンド部３が患者Ｐ側に倒れるという事故の発生を防止することができる。
【００２８】
（第２の実施の形態）
本発明の第２の実施の形態に係る画像撮影装置の安全装置１Ａを、図７ないし図９に基づいて説明する。なお、第２の実施の形態及びこれ以降の実施の形態において、先行して説明した他の実施の形態の構成要素と同じ構成要素には同じ符号を付け、重複する説明は省略する。
【００２９】
安全装置１Ａは、中空体であるリング２と、リング２を保持するスタンド部１３と、リング２とスタンド部１３とを一体にスライド可能とするスライド機構１４とにより構成されている。
【００３０】
スタンド部１３は、棒状部材８と、棒状部材８の一端側に固定された車輪取付部１５と、車輪取付部１５に取付けられた前後一対ずつ合計４個の車輪１６とにより構成されている。棒状部材８の他端側には、リング２が固定されている。車輪１６は、床面に配設された２本のレール１７に係合されている。スタンド部１３は、リング２を、開口部７と同じ高さ位置及び同じ左右方向位置で保持するようにレール１７に取付けられている。レール１７は、ガントリ５と寝台６との間に配設され、及び、ガントリ５を寝台６に対して接離する方向へスライドさせるレールと平行に配設されている。
【００３１】
スライド機構１４は、寝台６方向へのガントリ５のスライド方向と同じ方向であって、寝台６上の患者Ｐの患部がリング２内に挿入される干渉確認位置にリング２をスライド可能とする機構である。このスライド機構１４は、車輪取付部１５に取付けられた車輪１６とレール１７とにより構成されている。
【００３２】
このような構成において、第２の実施の形態では第１の実施の形態と同様に、手術中の患者Ｐの患部をガントリ５を用いてＸ線撮影する場合は、まず、リング２をスタンド部１３と共に寝台６側の干渉確認位置へスライドさせ、寝台６上の患者Ｐの患部をリング２内に挿入させ、リング２が治療器具１２に干渉しないことを確認する。ついで、ガントリ５を寝台６側にスライドさせ、寝台６上の患者Ｐの患部をガントリ５の開口部７に挿入させる。
【００３３】
このため、ガントリ５を撮影開始位置に移動させる場合に、ガントリ５の開口部７の周縁部が治療器具１２に干渉することを確実に防止することができ、手術中のＸ線撮影を安全に行うことができる。
【００３４】
また、この第２の実施の形態では、スタンド部１３が４個の車輪１６を備えているため、リング２を安定して保持することができる。さらに、リング２とスタンド部１３とが４個の車輪１６を用いてスライドするため、スムーズにスライドさせることができる。
【００３５】
（第３の実施の形態）
本発明の第３の実施の形態に係る画像撮影装置の安全装置１Ｂを、図１０に基づいて説明する。
【００３６】
安全装置１Ｂは、中空体であるリング２と、リング２を保持するスタンド部１８と、リング２とスタンド部１８とを一体にスライド可能とするスライド機構１４とにより構成されている。
【００３７】
スタンド部１８は、棒状部材１９と、棒状部材１９の一端側に固定された車輪取付部１５と、車輪取付部１５に取付けられた前後一対ずつ合計４個の車輪１６とにより構成されている。棒状部材１９の他端側に、リング２が固定されている。スタンド部１８は、リング２を、開口部７と同じ高さ位置及び同じ左右方向位置で保持するようにレール１７に取付けられている。
【００３８】
棒状部材１９には、ガントリ５の外周形状に沿ってクランク状に屈曲させた屈曲部１９ａが形成されている。ガントリ５とリング２とを近接位置にスライドさせた場合、例えば、図１０に示すように、リング２を干渉確認位置へスライドさせ、及び、ガントリ５を撮影開始位置にスライドさせた場合において、リング２の寝台６に対向する側の端部とガントリ５の寝台６に対向する側の端部との間の幅寸法がＥとなる。
【００３９】
このような構成において、手術中の患者Ｐの患部をガントリ５を用いてＸ線撮影する場合は、まず、リング２をスタンド部１８と共に寝台６側の干渉確認位置へスライドさせ、寝台６上の患者Ｐの患部をリング２内に挿入させ、リング２が治療器具１２に干渉しないことを確認する。ついで、ガントリ５を寝台６側にスライドさせ、寝台６上の患者Ｐの患部をガントリ５の開口部７に挿入させる。
【００４０】
このため、ガントリ５を撮影開始位置に移動させる場合に、ガントリ５の開口部７の周縁部が治療器具１２に干渉することを確実に防止することができ、手術中のＸ線撮影を安全に行うことができる。
【００４１】
また、スタンド部１８の棒状部材１９には屈曲部１９ａが形成されているため、干渉確認位置へスライドさせたリング２と撮影開始位置にスライドさせたガントリ５との間の幅寸法Ｅを小さくすることができる。このため、ガントリ５による撮影開始位置をリング２の近くまで寄せることができ、ガントリ５による撮影領域を広げることができる。
【００４２】
なお、上述した第１〜第３の実施の形態の安全装置１、１Ａ、１Ｂでは、リング２がスタンド部３、１３、１８に固定されている場合について説明したが、リング２をスタンド部３、１３、１８に対して着脱可能に取付けてもよい。
【００４３】
リング２をスタンド部３、１３、１８から取外すことにより、安全装置１、１Ａ、１Ｂを使用しない場合にリング２が邪魔になるという事態の発生を防止することができる。
【００４４】
（第４の実施の形態）
本発明の第４の実施の形態に係る画像撮影装置の安全装置１Ｃを、図１１に基づいて説明する。
【００４５】
安全装置１Ｃは、中空体であるリング２と、リング２を保持するスタンド部３と、リング２とスタンド部３とを一体にスライド可能とするスライド機構（図示せず）とにより構成されている。
【００４６】
リング２には、リング２の中央位置を示すマーク２０が付けられている。マーク２０は、塗料を塗付することにより、又は、シールを貼付することにより形成されている。
【００４７】
このような構成において、リング２を寝台６に近付け、リング２から寝台６上の患者Ｐを見ることにより、撮影したい患部の位置（×印の位置）がリング２の中央部に位置しているか否か、つまり、患者Ｐをガントリ５の開口部７に挿入した場合に、撮影したい患部の位置が開口部７の中心部に位置するか否かを判断することができる。撮影した患部の位置がリング２の中央部に位置していない場合は、寝台６を移動させ、撮影したい患部の位置をリング２の中央部に位置させることができる。これにより、精度のよい撮影を行うことができる。
【００４８】
（第５の実施の形態）
本発明の第５の実施の形態に係る画像撮影装置の安全装置１Ｄを、図１２ないし図１５に基づいて説明する。
【００４９】
安全装置１Ｄは、中空体である筒体２１と、筒体２１を保持するスタンド部２２と、筒体２１とスタンド部２２とを一体にスライド可能とするスライド機構２３とにより構成されている。
【００５０】
筒体２１は、内径寸法がＡである円筒状に形成された部材であり、寝台６とガントリ５との間に配置されている。また、筒体２１には、ガントリ５の開口部７内に入り込み、開口部７の内周面を覆う被覆部２１ａが一体に形成されている。筒体２１は、透明な硬質樹脂により形成されている。筒体２１及び被覆部２１ａは内径寸法がＡに形成され、この内径寸法Ａは、ガントリ５の開口部７の内径寸法Ｂより小さく（Ａ＜Ｂ）形成されている。なお、筒体２１が開口部７内に入り込んでいることから、筒体２１の外径寸法も開口部７の内径寸法Ｂより小さく形成されている。
【００５１】
スタンド部２２は、筒体２１の外周部に固定された前後一対ずつ合計４本の脚部２４と、脚部２４の端部に取付けられた車輪２５とにより構成されている。スタンド部２２は、筒体２１を、開口部７と同じ高さ位置及び同じ左右方向位置で保持するように設けられている。４本の脚部２４のうちの１本の脚部２４には、図１５に示すように上下方向にスライド可能なロックレバー２６が取付けられている。ロックレバー２６を下方へスライドさせ、ロックレバー２６の下端部を床面に形成された固定用穴２７に係合させることにより、筒体２１とスタンド部２２とのスライド動作をロックすることができる。
【００５２】
スライド機構２３は、寝台６方向へのガントリ５のスライド方向と同じ方向であって、寝台６上の患者Ｐの患部が筒体２１内に挿入される干渉確認位置に筒体２１をスライド可能とする機構である。このスライド機構２３は、筒体２１と、ガントリ５の開口部７内に設けられて筒体２１の外周面に当接される複数個のガイドローラ２８とにより構成されている。複数個のガイドローラ２８は、筒体２１の周方向に沿って複数個配列され、及び、筒体２１のスライド方向に沿った方向に２列に配列されている。
【００５３】
このような構成において、手術中の患者Ｐの患部をガントリ５を用いてＸ線撮影する場合は、まず、筒体２１をスタンド部２２と共に図１３の矢印Ｆに示すように寝台６側の干渉確認位置へスライドさせ、寝台６上の患者Ｐの患部を筒体２１内に挿入させ、筒体２１が治療器具１２に干渉しないことを確認する。このスライド操作は、手動により行う。筒体２１は透明な樹脂により形成されており、筒体２１をスライドさせる際に筒体２１が治療器具１２に干渉するか否かを筒体２１の外側から確実に目視することができる。
【００５４】
筒体２１を図１３に示す寝台６に接近した干渉確認位置までスライドさせた後、図１５（ｂ）に示すようにロックレバー２６を下方にスライドさせて床面の固定用穴２７に係合させ、筒体２１とスタンド部２２とのスライド動作をロックする。
【００５５】
ついで、図１４の矢印Ｇに示すようにガントリ５を寝台６側にスライドさせ、寝台６上の患者Ｐの患部をガントリ５の開口部７に挿入させる。そして、図１４に示す位置にスライドさせたガントリ５を矢印Ｇ´で示すように寝台６から離反する方向へスライドさせ、このスライド過程でＸ線管からＸ線を放射することにより、患部のＸ線撮影を行う。
【００５６】
このＸ線撮影に際し、ガントリ５を図１４に示す位置にスライドさせる前に、筒体２１を図１３に示す干渉確認位置にスライドさせ、筒体２１が治療器具１２に干渉しないことを確認している。筒体２１の内径寸法Ａはガントリ５の開口部７の内径寸法Ｂより小さく（Ａ＜Ｂ）、しかも、筒体２１は開口部７と同じ高さ位置及び同じ左右方向位置で保持され、ガントリ５のスライド時に開口部７は筒体２１の外周に沿ってスライドする。このため、干渉確認位置へスライドした筒体２１が治療器具１２に干渉しないということは、ガントリ５を寝台６側へスライドさせて患者Ｐを開口部７に挿入しても、開口部７の周縁部が治療器具１２に干渉しないことを意味する。
【００５７】
したがって、干渉確認位置へスライドさせた筒体２１が治療器具１２に接触しないことを確認することにより、ガントリ５を撮影開始位置に移動させる場合に、ガントリ５の開口部７の周縁部が治療器具１２に干渉することを確実に防止することができ、手術中のＸ線撮影を安全に行うことができる。
【００５８】
また、筒体２１の被覆部２１ａが開口部７の内周面を覆っているため、血液等によりガントリ５が汚されることを防止することができる。さらに、筒体２１は電子機器が設けられていない部材であり、消毒を簡単に、かつ、十分に行うことができる。したがって、この筒体２１の消毒を行うことにより、開口部７内に挿入される患者Ｐに対する除菌効果を高めることができる。
【００５９】
（第６の実施の形態）
本発明の第６の実施の形態に係る画像撮影装置の安全装置１Ｅを、図１６に基づいて説明する。
【００６０】
安全装置１Ｅは、中空体である筒体２９と、筒体２９を保持するスタンド部２２と、筒体２９とスタンド部２２とを一体にスライド可能とするスライド機構３０とにより構成されている。
【００６１】
筒体２９は、第１嵌合筒体２９ａと第２嵌合筒体２９ｂとを嵌合させ、第２嵌合筒体２９ｂが第１嵌合筒体２９ａの内側に嵌合され、第１嵌合筒体２９ａと第２嵌合筒体２９ｂとは筒体２９のスライド方向であるガントリ５のスライド方向に伸縮可能とされている。第２嵌合筒体２９ｂの内径寸法Ａが、ガントリ５の開口部７の内径寸法Ｂより小さく形成されている。この安全装置１Ｅにおいては、第１嵌合筒体２９ａが開口部７の内周面を覆う被覆部とされる。
【００６２】
スライド機構３０は、寝台６方向へのガントリ５のスライド方向と同じ方向であって、寝台６上の患者Ｐの患部が第２嵌合筒体２９ｂ内に挿入される干渉確認位置に第２嵌合筒体２９ｂをスライド可能とする機構である。このスライド機構３０は、第１嵌合筒体２９ａと、第２嵌合筒体２９ｂに形成されて第１嵌合筒体２９ａの内周面に摺接する摺接筒部２９ｃとにより構成されている。
【００６３】
このような構成において、手術中の患者Ｐをガントリ５を用いてＸ線撮影する場合は、図１６（ｂ）に示すように第２嵌合筒体２９ｂを寝台６側の干渉確認位置へスライドさせ、寝台６上の患者Ｐの患部を第２嵌合筒体２９ｂ内に挿入させ、第２嵌合筒体２９ｂが治療器具１２に干渉しないことを確認する。
【００６４】
ついで、ガントリ５を寝台６側にスライドさせ、寝台６上の患者Ｐの患部をガントリ５の開口部７内に挿入させ、ガントリ５を用いたＸ線撮影を行う。
【００６５】
したがって、干渉確認位置へスライドさせた第２嵌合筒体２９ｂが治療器具１２に接触しないことを確認することにより、ガントリ５を撮影開始位置に移動させる場合に、ガントリ５の開口部７の周縁部が治療器具１２に干渉することを確実に防止することができ、手術中のＸ線撮影を安全に行うことができる。
【００６６】
安全装置１Ｅを使用しない場合は、図１６（ａ）に示すように、第２嵌合筒体２９ｂを第１嵌合筒体２９ａ内に収納される位置へをスライドさせ、筒体２９のスライド方向の長さ寸法を短くすることができる。これにより、不使用時の安全装置１Ｅが邪魔になるということを防止することができる。
【００６７】
なお、上述した各実施の形態では、画像撮影装置としてＸ線ＣＴ装置を例に挙げて説明したので、画像撮影部であるガントリ５の開口部７が円形であり、それに対応してリング２や筒体２１が円形又は円筒形である場合について説明している。しかし、リング２や筒体２１の形状は円形や円筒形に限られるものではない。例えば、画像撮影装置であるＭＲＩ装置に本発明の安全装置を用いる場合には、ＭＲＩ装置における患者が挿入される挿入部の形状が非円形である場合には、その形状に合わせた非円形のリングや筒体を用いることができる。
【図面の簡単な説明】
【００６８】
【図１】本発明の第１の実施の形態に係る画像撮影装置の安全装置を示す側面図である。
【図２】その正面図である。
【図３】その平面図である。
【図４】手術中の寝台上の患者をリング側から見た正面図である。
【図５】リングを寝台側の干渉確認位置へスライドさせた状態を示す側面図である。
【図６】ガントリを寝台側の撮影開始位置へスライドさせた状態を示す側面図である。
【図７】本発明の第２の実施の形態に係る画像撮影装置の安全装置を示す側面図である。
【図８】その正面図である。
【図９】その平面図である。
【図１０】本発明の第３の実施の形態に係る画像撮影装置の安全装置を示す側面図である。
【図１１】本発明の第４の実施の形態に係る画像撮影装置の安全装置を示す側面図である。
【図１２】本発明の第５の実施の形態に係る画像撮影装置の安全装置を示す側面図である。
【図１３】筒体を寝台側の干渉確認位置へスライドさせた状態を示す側面図である。
【図１４】ガントリとを寝台側の撮影開始位置へスライドさせた状態を示す側面図である。
【図１５】筒体の干渉確認位置でのロック機構を示す正面図である。
【図１６】本発明の第６の実施の形態に係る画像撮影装置の安全装置を示す側面図である。
【符号の説明】
【００６９】
２      中空体、リング
３      スタンド部
４      スライド機構
５      画像撮影部
６      寝台
７      開口部
１３      スタンド部
１４      スライド機構
１８      スタンド部
２１      中空体、筒体
２１ａ    被覆部
２２      スタンド部
２３      スライド機構
２９      中空体、筒体
２９ａ    嵌合筒体、被覆部
２９ｂ    嵌合筒体
３０      スライド機構
Ｐ        患者
【図１】
0004987599.tif 000002
【図２】
0004987599.tif 000003
【図３】
0004987599.tif 000004
【図４】
0004987599.tif 000005
【図５】
0004987599.tif 000006
【図６】
0004987599.tif 000007
【図７】
0004987599.tif 000008
【図８】
0004987599.tif 000009
【図９】
0004987599.tif 000010
【図１０】
0004987599.tif 000011
【図１１】
0004987599.tif 000012
【図１２】
0004987599.tif 000013
【図１３】
0004987599.tif 000014
【図１４】
0004987599.tif 000015
【図１５】
0004987599.tif 000016
【図１６】
0004987599.tif 000017